(57)【要約】  薬剤取り揃えシステム（１１）は、トレイ（１２）を各々収納するための複数の収納部（２３）を備えるカート（１４）と、各トレイ（１２）に取り揃えるべき薬剤の種類及び個数を示し、且つトレイ（１２）ごとに設けられる調剤情報に従って、カート（１４）の各収納部（２３）に収納されるトレイ（１２）に第１薬剤を払い出す払出機（１３）を有する。システム（１１）の記憶部（２８）は、トレイ（１２）ごとに、調剤情報と、払出機（１３）により第１薬剤が払い出されたトレイ（１２）を収納しているカート（１４）の収納部（２３）を特定するための収納部特定情報とを対応付けて記憶する。システム（１１）は、第１薬剤の払い出し後に、各トレイ（１２）に補充すべき第２薬剤を示す情報を含む調剤情報を特定し、特定した調剤情報に対応する収納部特定情報を決定する薬剤棚処理部（３３）と、収納部特定情報が示す収納部（２３）を特定するための情報を提示するＬＥＤ（２６）とを備える。
2011067897.tif 000002
【特許請求の範囲】
【請求項１】
薬剤の取り揃えを支援する薬剤取り揃えシステムであって、
調剤情報に従って第１薬剤が払いだされたトレイを各々収納するための複数の収納部を備えるカートと、
前記トレイごとに、カートを特定するカート情報と、前記調剤情報と、前記第１薬剤が払い出されたトレイを収納している前記収納部を特定する収納部特定情報とを対応付けて記憶する記憶部と、
前記カート情報に基づいて特定されたカートに対し、前記カートの各収納部に収納されているトレイごとに補充すべき第２薬剤の有無を確認し、前記第２薬剤が存在する場合に、前記第２薬剤に対応する前記収納部特定情報を前記調剤情報に従って決定する決定部と、
前記決定部が決定した前記収納部特定情報が示す前記収納部を特定する情報を提示する収納部提示部と
を備える
薬剤取り揃えシステム。
【請求項２】
さらに、前記トレイごとに設定された調剤情報に従って、前記トレイに前記第１薬剤を自動で払い出す払出機を備える
請求項１記載の薬剤取り揃えシステム。
【請求項３】
さらに、薬剤のコードを検出するための薬剤検出部を備え、
前記決定部は、前記薬剤検出部で検出されたコードに基づいて前記第２薬剤の有無を確認する
請求項１記載の薬剤取り揃えシステム。
【請求項４】
前記収納部提示部は、前記カートに設けられ、
前記収納部ごとに当該収納部に対応する位置に設けられた発光部と、
前記決定部が決定した前記収納部特定情報が示す前記収納部を特定する情報の提示として、前記決定部が決定した前記収納部特定情報が示す前記収納部に対応する前記発光部を発光させるカート処理部とを有する
請求項１記載の薬剤取り揃えシステム。
【請求項５】
さらに、前記トレイごとに、前記調剤情報と前記第１薬剤とから決定される前記第２薬剤の種類及び個数を提示する薬剤提示部を備える
請求項１記載の薬剤取り揃えシステム。
【請求項６】
さらに、前記第２薬剤を保管し、前記薬剤提示部を有する薬剤棚を備える
請求項１記載の薬剤取り揃えシステム。
【請求項７】
前記薬剤棚の周囲に予め薬剤棚操作領域が設定されており、
前記収納部提示部は、前記カートが前記薬剤棚操作領域に含まれる場合にのみ前記決定部が決定した前記収納部特定情報が示す前記収納部を特定する情報を提示する
請求項６記載の薬剤取り揃えシステム。
【請求項８】
前記薬剤提示部が、前記カートに備えられた
請求項５記載の薬剤取り揃えシステム。
【請求項９】
前記カートは、さらに、前記収納部ごとに、収納しているトレイが引き出されたか否かを検出するトレイ検出部を備え、
前記薬剤提示部は、前記トレイ検出部により引き出されたことが検出されたトレイに補充すべき前記第２薬剤の種類及び個数を提示する
請求項１記載の薬剤取り揃えシステム。
【請求項１０】
薬剤の取り揃えを支援する薬剤取り揃えシステムで用いられるカートであって、
第１薬剤が払い出されたトレイを各々収納するための複数の収納部と、
前記収納部ごとに当該収納部に対応する位置に設けられた発光部と、
外部から受信した第２薬剤の情報に基づいて、前記第２薬剤を補充すべきトレイが収納された収納部に対応する前記発光部を発光させるカート処理部と
を備える
カート。
【請求項１１】
さらに、
トレイごとに、当該トレイに補充すべき前記第２薬剤の種類及び個数を提示する薬剤提示部を備える
請求項１０記載のカート。
【発明の詳細な説明】
【技術分野】
【０００１】
本発明は、トレイへの薬剤の取り揃えを支援する薬剤取り揃えシステム、および、その薬剤取り揃えシステムで用いられるカートに関する。
【背景技術】
【０００２】
間違いが少なく、且つ、操作が容易な薬剤の取り揃えを行うために、さまざまな薬剤取り揃え装置が考えられている。薬剤を容易に取り揃え可能で、且つ、薬剤のチェックができるシステムとして、図１２に示す薬剤設置システム１が存在する（例えば、特許文献１参照）。【０００３】
薬剤設置システム１は、複数の領域３に区切られたトレイ２と、薬剤の物品情報を表示する表示部４とを備える。表示部４に表示される薬剤の物品情報は、トレイ２のそれぞれの領域３に取り揃えるべき薬剤の情報である。【０００４】
薬剤管理者は、表示部４に表示された物品情報に従い、トレイ２の領域３へ薬剤を取り揃える。それぞれの領域３は薬剤読取部５を備えており、薬剤設置システム１は、トレイ２に取り揃えられた薬剤に取り揃え間違いがないかを確認することができる。【０００５】
薬剤管理者は、固定されたトレイ２に取り揃えられた薬剤を搬送用の別のトレイに移すことにより、病棟や病室に搬送用トレイを搬送することができる。【０００６】
また、別の薬剤取り揃え方法として、薬剤師または看護師などの資格がなくとも取り扱うことのできる一般薬剤について、調剤情報に従い個々のトレイに自動的且つ機械的に薬剤を払い出す払出機も存在する。
【先行技術文献】
【特許文献】
【０００７】
【特許文献１】特開２００４−７０８０３号公報
【発明の概要】
【発明が解決しようとする課題】
【０００８】
従来の薬剤設置システム１では、固定されたトレイを用いているため、薬剤の移し変え作業が発生し、作業が煩雑になってしまうという課題がある。例えば、払出機と薬剤設置システム１とを併用して薬剤の取り揃えを行う場合、払出機が複数の搬送用トレイに薬剤を直接払い出すのに対し、薬剤設置システム１では薬剤管理者が、固定されたトレイから別の搬送用トレイに薬剤を取り揃える必要がある。そのため、払出機で払い出された個々の搬送用トレイへ、薬剤管理者が薬剤設置システム１で取り揃えた薬剤を補充しようとすると、薬剤管理者が補充の必要な患者向けの搬送用トレイを探さなければならない。このトレイの探し出し作業は、薬剤管理者にとって大きな負担になる。また、間違って、別の患者の搬送用トレイに薬剤を補充してしまう可能性がある。【０００９】
そこで本発明は、払い出された第１薬剤を保持するトレイに対し、薬剤管理者が第２薬剤を簡易に補充することのできる薬剤取り揃えシステムを提供することを目的とする。
【課題を解決するための手段】
【００１０】
上記目的を達成するために本発明のある局面に係る薬剤取り揃えシステムは、薬剤の取り揃えを支援する薬剤取り揃えシステムであって、調剤情報に従って第１薬剤が払いだされたトレイを各々収納するための複数の収納部を備えるカートと、前記トレイごとに、カートを特定するカート情報と、前記調剤情報と、前記第１薬剤が払い出されたトレイを収納している前記収納部を特定する収納部特定情報とを対応付けて記憶する記憶部と、前記カート情報に基づいて特定されたカートに対し、前記カートの各収納部に収納されているトレイごとに補充すべき第２薬剤の有無を確認し、前記第２薬剤が存在する場合に、前記第２薬剤に対応する前記収納部特定情報を前記調剤情報に従って決定する決定部と、前記決定部が決定した前記収納部特定情報が示す前記収納部を特定する情報を提示する収納部提示部とを備える。【００１１】
本発明の他の局面に係るカートは、薬剤の取り揃えを支援する薬剤取り揃えシステムで用いられるカートであって、第１薬剤が払い出されたトレイを各々収納するための複数の収納部と、前記収納部ごとに当該収納部に対応する位置に設けられた発光部と、外部から受信した第２薬剤の情報に基づいて、前記第２薬剤を補充すべきトレイが収納された収納部に対応する前記発光部を発光させるカート処理部とを備える。
【発明の効果】
【００１２】
本発明によると、払い出された第１薬剤を保持する複数のトレイを収納されたカートに対し、薬剤管理者が第２薬剤を正確なトレイに簡易に補充することができる。
【図面の簡単な説明】
【００１３】
【図１】図１は、本発明の実施の形態１における薬剤取り揃えシステムの構成を示す機能ブロック図である。
【図２】図２は、本発明の実施の形態１における搬送用のカートの斜視図である。
【図３】図３は、本発明の実施の形態１における薬剤払い出し時の払出機及びカートを示す図である。
【図４】図４は、本発明の実施の形態１における払出機の動作を説明するフローチャートである。
【図５】図５は、本発明の実施の形態１における管理部が記憶している取り揃えリストを示す図である。
【図６】図６は、本発明の実施の形態１における薬剤補充時の薬剤棚及びカートを示す図である。
【図７】図７は、本発明の実施の形態１における薬剤棚の動作を説明するフローチャートである。
【図８】図８は、本発明の実施の形態１における薬剤棚が記憶している取り揃えリストを示す図である。
【図９】図９は、本発明の実施の形態２における薬剤取り揃えシステムの構成を示す機能ブロック図である。
【図１０】図１０は、本発明の実施の形態２における搬送用のカートの斜視図である。
【図１１】図１１は、本発明の実施の形態２におけるカートの動作を説明するフローチャートである。
【図１２】図１２は、従来の薬剤設置システムを示す図である。
【発明を実施するための形態】
【００１４】
以下、本発明を実施するための形態について、図面を参照しながら説明する。なお、以下の説明において、同じ構成には同じ符号を付して適宜説明を省略する。
【００１５】
（実施の形態１）
本発明の実施の形態１に係る薬剤取り揃えシステムは、払出機から払い出されたトレイを収納するための搬送用のカートを備える。ここで、払出機から払い出されたトレイには、払出機から払い出された第１薬剤が保持されている。薬剤取り揃えシステムは、この搬送用のカートに収納されたトレイのうち、薬剤棚で保管されている第２薬剤の補充を必要とするトレイの情報を、薬剤管理者へ知らせる。
【００１６】
本実施の形態１に係る薬剤取り揃えシステムを用いることで、薬剤管理者は、払出機から払い出された薬剤を保持するトレイへ、第２薬剤を簡易に且つ正確に補充することが可能となる。
【００１７】
図１は、本実施の形態１における薬剤取り揃えシステム１１の構成を示す機能ブロック図である。
【００１８】
薬剤取り揃えシステム１１は、カート１４と、払出機１３と、薬剤棚１６と、管理部１５とを備える。
【００１９】
カート１４は、トレイ１２を各々収納する複数の収納部２３を備える。
【００２０】
払出機１３は、各トレイに取り揃えるべき薬剤の種類及び個数を示す調剤情報に従って、トレイ１２に第１薬剤を払い出す。すなわち、払出機１３は、トレイごとに設定された調剤情報に従って、払出機１３が払い出すことが可能な第１薬剤を自動的にトレイ１２に払い出す。そして、払出機１３は、第１薬剤を払い出した複数のトレイ１２のそれぞれをカート１４の各収納部２３に収納する。
【００２１】
薬剤棚１６は、第２薬剤を保管している。
【００２２】
管理部１５は、収納部位置情報（収納部番地）を含んだ情報を記憶する記憶部２８を備える。ここで、収納部位置情報（収納部番地）は、払出機１３により第１薬剤が払い出されたトレイ１２を収納している収納部２３の位置を示す情報である。また、記憶部２８は、トレイごとの薬剤の取り揃えリストを記憶する装置である。記憶部２８は、たとえば、トレイごとに、カート番号と、収納部番地と、払出情報、調剤番号および調剤情報を、対応付けて記憶している。カート番号は、カートを特定するためのカート情報である。収納部番地は、収納部の位置を特定する収納部位置情報、すなわち収納部特定情報である。払出情報は、払出機１３により払い出された第１薬剤の種類及び個数を示す情報である。調剤番号は、調剤情報を特定する調剤特定情報である。調剤情報は、トレイごとに取り揃えるべき薬剤の種類及び個数を示す情報である。
【００２３】
薬剤棚１６のタグリーダ３１がカート１４のＲＦＩＤ（Radio Frequency IDentification）タグ２２に記憶されているカート番号（カートを特定するためのカート情報）を検出すると、薬剤棚１６の薬剤棚処理部３３は、第２薬剤の補充を必要とするトレイ１２を収納する収納部２３の収納部番地を算出する。薬剤棚処理部３３での処理により、表示部３０などを用いて、補充を必要とするトレイ１２の情報を薬剤管理者へ知らせる。
【００２４】
上述した第１薬剤とは、薬剤師等の特別な資格がなくとも取り扱うことが可能な一般薬剤である。さらに、第１薬剤とは、使用頻度の高い薬剤であり、払出機１３で払い出すことができる薬剤である。払出機１３は、複数種類の第１薬剤を予め保管しており、要求に応じて第１薬剤を自動的且つ機械的にトレイ１２に払い出す。
【００２５】
第２薬剤とは、特別な資格を有する人しか取り扱うことのできない特殊薬剤である。さらに、第２薬剤とは、使用頻度の少ない薬剤などであり、薬剤棚１６で保管される薬剤である。また、形状が大きくて払出機１３による保管または払い出しができない薬剤（例えば輸液パックなど）も、第２薬剤としてトレイ１２に補充される薬剤である。これらの第２薬剤は、補充が必要なトレイ１２に薬剤管理者により取り揃えられる。
【００２６】
薬剤取り揃えシステム１１の構成を説明する。トレイ１２はＲＦＩＤタグ１７を有し、このＲＦＩＤタグ１７にトレイ番号が記憶されている。一つのトレイ１２には一人の患者用の薬剤が載置され、トレイ番号と患者とが対応付けられている。そのため、トレイ番号から患者を識別することが可能である。このため、医師等が患者に薬剤を投与する際に、トレイ１２のＲＦＩＤタグ１７に記憶されているトレイ番号をタグリーダ１８などを用いて読み取ることにより、別の患者の薬剤を誤って投与するのを防ぐことができる。
【００２７】
払出機１３は、タグリーダ１８と、タッチパネル１９と、払出部２０ａと、搬出部２０ｂと、無線通信部２０ｃと、払出処理部２１とを備える。
【００２８】
タグリーダ１８は、トレイ１２のＲＦＩＤタグ１７に記憶されているトレイ番号を検出する。
【００２９】
タッチパネル１９は、払出機１３に対する操作入力の受け付けと、払出機１３からの各種データの表示を行う。
【００３０】
払出部２０ａは、払出機１３が保持している第１薬剤をトレイ１２へ払い出す。
【００３１】
搬出部２０ｂは、第１薬剤が払い出されたトレイ１２をカート１４へ搬出する。
【００３２】
無線通信部２０ｃは、払出機１３とカート１４との間で情報の送受信を行う。
【００３３】
払出処理部２１は、調剤情報から払出薬剤の算出を行う。
【００３４】
なお、払出部２０ａは、払い出した薬剤の薬剤名及び個数を検出し、払出情報として取得する。
【００３５】
カート１４は、ＲＦＩＤタグ２２と、複数の収納部２３と、トレイ検出部２４と、無線通信部２５と、ＬＥＤ（Light Emitting Diode）２６と、カート処理部２７とを備える。
【００３６】
ＲＦＩＤタグ２２は、カート１４の識別子であるカート番号を記憶している。
【００３７】
各収納部２３は、それぞれ、１つのトレイ１２を収納する。
【００３８】
トレイ検出部２４は、トレイ１２が収納部２３の収納位置にあるか否かを検出する。トレイ検出部２４は、例えば、収納部２３ごとに、収納部２３内に設けられた光電スイッチであり、トレイ１２が収納部２３の収納位置にあればＯＮするように構成されていてもよい。これにより、光電スイッチがＯＮ状態にあれば、トレイ１２が収納部２３の収納位置にあると判断し、ＯＦＦ状態にあれば、トレイ１２が収納部２３の収納位置になく、収納部２３から引き出されていると判断することができる。また、トレイ検出部２４は、収納部２３ごとに、収納部２３内に設けられたＲＦＩＤタグリーダであってもよい。この場合、トレイ１２にＲＦＩＤタグが貼付されトレイ１２が収納部２３の収納位置にあれば、ＲＦＩＤタグに記憶されたデータを読み取ることができる位置にタグリーダを設ければよい。これにより、タグリーダがＲＦＩＤタグからデータを読み取ることができれば、トレイ１２が収納部２３の収納位置にあると判断し、読み取ることができなければ、トレイ１２が収納部２３の収納位置になく、収納部２３から引き出されていると判断することができる。
【００３９】
無線通信部２５は、薬剤棚１６との間で情報の送受信を行う。
【００４０】
ＬＥＤ（Light Emitting Diode）２６は、収納部２３ごとに、収納部２３に隣接した位置に設けられ、点灯する発光部である。ＬＥＤ２６は、請求の範囲の収納部提示部に対応する。
【００４１】
カート処理部２７は、薬剤棚１６から送られてくる情報またはトレイ検出部２４での検出結果に基づいて、ＬＥＤ２６の点灯の制御等を行う。
【００４２】
ここでは、各収納部２３の両側にＬＥＤ２６を設け、収納部２３を示す両側のＬＥＤ２６が同時に点灯するものとする。ただし、各収納部２３の片側だけにＬＥＤ２６を設けても良い。
【００４３】
管理部１５は、薬剤取り揃えに必要な薬剤の取り揃えリストを記憶する記憶部２８を備える。取り揃えリストは、払出機１３により第１薬剤が払い出されたトレイ１２を収納している収納部２３の位置を示す収納部位置情報（収納部番地）と、調剤情報と、払出情報とを含む。
【００４４】
薬剤棚１６は、薬剤庫２９と、表示部３０と、タグリーダ３１と、無線通信部３２と、薬剤棚処理部３３とを備える。
【００４５】
薬剤庫２９は、第２薬剤を保管する。
【００４６】
表示部３０（薬剤提示部）は、トレイ１２へ補充する薬剤の薬剤名及び個数等を表示する。
【００４７】
タグリーダ３１は、カート１４のＲＦＩＤタグ２２に記憶されているカート番号を検出する。
【００４８】
無線通信部３２は、薬剤部１６とカート１４との間で情報の送受信を行う。
【００４９】
薬剤棚処理部３３（決定部）は、薬剤棚１６で補充を行う薬剤の算出等を行う。
【００５０】
このような構成により、薬剤管理者がカート１４を薬剤棚１６の付近に移動させると、まず、薬剤棚１６のタグリーダ３１はカート１４のカート番号を検出する。そして、検出したカート番号に基づいて、薬剤棚１６の薬剤棚処理部３３は第２薬剤の補充を必要とするトレイ１２を収納する収納部２３の収納部番地を算出し、算出した収納部番地をカート１４へ送信する。
【００５１】
するとカート１４は、受信した収納部番地に基づいて、第２薬剤の補充を必要とするトレイ１２に対応するＬＥＤ２６を点灯させる。薬剤管理者が点灯しているＬＥＤ２６に対応するトレイ１２を引き出すと、引き出したトレイ１２に補充を必要とする薬剤の薬剤名および個数が薬剤棚１６の表示部３０に表示される。薬剤管理者は、この表示部３０の表示に従って、引き出したトレイ１２へ第２薬剤を補充する。
【００５２】
本実施の形態１に係る薬剤取り揃えシステム１１は、このようにして、払出機１３により払い出された第１薬剤を保持するトレイ１２に対し、搬送用のカート１４からトレイ１２を引き出した状態で第２薬剤を簡易に且つ正確に補充することができるものである。
【００５３】
次に、薬剤取り揃えシステム１１を用いた薬剤取り揃えの作業について詳細に説明する。
【００５４】
図２はカート１４の斜視図である。カート１４は複数の収納部２３（収納部２３ａ〜２３ｌ）を有し、各収納部２３にトレイ１２を収納できる。なお、図２は収納部２３にトレイ１２を搭載していない、空の状態を示している。
【００５５】
カート１４は、さらに、各収納部２３の収納口の両側の隣接した位置に発光部となるＬＥＤ２６を備える。また、カート１４は、移動するための移動手段として車輪３４を備える。
【００５６】
なお、収納部２３ごとに収納部番地が付与されており、収納部２３ａの収納部番地はＡ１、収納部２３ｂの収納部番地はＡ２、収納部２３ｃの収納部番地はＡ３、収納部２３ｄの収納部番地はＡ４、収納部２３ｅの収納部番地はＡ５、収納部２３ｆの収納部番地はＡ６、収納部２３ｇの収納部番地はＢ１、収納部２３ｈの収納部番地はＢ２、収納部２３ｉの収納部番地はＢ３、収納部２３ｊの収納部番地はＢ４、収納部２３ｋの収納部番地はＢ５、収納部２３ｌの収納部番地はＢ６である。
【００５７】
また、１つの収納部２３に対し、２つのＬＥＤ２６が対応づけて配置されている。
【００５８】
まず、薬剤の取り揃え作業を行う薬剤管理者は、トレイ１２を搭載していない空のカート１４を払出機１３の所へ移動させ、カート１４のトレイ出入口と払出機１３の払出口とを連結させる。
【００５９】
図３は、カート１４のトレイ出入口と払出機１３の払出口とが連結し、払出機１３が薬剤を払い出す時のカート１４及び払出機１３を示す図である。
【００６０】
払出機１３は、調剤情報に従い、空のトレイ１２へ第１薬剤を自動的に払い出す。さらに、払出機１３は、第１薬剤が払い出されたトレイ１２をカート１４の収納部２３へ収納する。払出機１３の操作は、薬剤管理者がタッチパネル１９を操作することにより行われる。
【００６１】
次に、図４のフローチャートを用いて、払出機１３の動作の詳細を説明する。払出機１３にカート１４が連結された後、薬剤管理者が払出機１３のタッチパネル１９の薬剤払出ボタンを押すことで、事前に払出機１３に収納されている各種の薬剤の中から指定された所要の第１薬剤の払い出しが開始される。
【００６２】
まず、払出処理部２１は、無線通信部２０ｃを通じて、管理部１５にある薬剤の取り揃えリストより、取り揃えが必要な調剤番号および調剤情報を取得する（ステップＳ０１）。
【００６３】
調剤情報とは、取り揃えが必要な薬剤の薬剤種別を示す薬剤名、薬剤の個数（分量）であり、調剤番号とは調剤情報を管理するための管理番号である。
【００６４】
次に、払出処理部２１は、タグリーダ１８を通じて、トレイ１２のトレイ番号を取得する（ステップＳ０２）。
【００６５】
払出処理部２１は、調剤情報に従って、払出部２０ａからトレイ１２へ第１薬剤を払い出す（ステップＳ０３）。つまり、払出処理部２１は、調剤情報に含まれる取り揃えが必要な複数の薬剤のうち、払出機１３が保管している薬剤で、払い出すことが可能な第１薬剤を払い出す。
【００６６】
払出処理部２１は、払い出された第１薬剤の薬剤名および個数（分量）である払出情報を払出部２０ａより取得する（ステップＳ０４）。
【００６７】
次に、搬出部２０ｂは、第１薬剤が払い出されたトレイ１２をカート１４の収納部２３へ搬入(収納)する（ステップＳ０５）。
【００６８】
この時、払出処理部２１は、トレイ１２が搬入されたカート１４のカート番号とトレイ１２が収納された収納部２３の収納部番地とをカート１４より取得する（ステップＳ０６）。すなわち、払出処理部２１は、タグリーダ１８を通じて、カート１４のＲＦＩＤタグ２２からカート番号を取得する。また、カート１４は、収納部２３ごとに、トレイ１２が収納部２３の収納位置に配置されているか否かを検出するトレイ検出部２４を備えている。トレイ検出部２４は、トレイ１２が収納位置に配置されたことを検出すると、払出機１３からカート１４の収納部２３にトレイ１２が搬入されたと判断する。トレイ１２の搬入に応答して、無線通信部２５は、トレイ１２が搬入された収納部２３の収納部番地を払出機１３の無線通信部２０ｃへ送信する。払出処理部２１は、無線通信部２０ｃよりトレイ１２が搬入された収納部２３の収納部番地を取得する。
【００６９】
そして、払出処理部２１は、ステップＳ０６で取得したカート番号および収納部番地と、トレイ１２へ払い出された薬剤情報を示す払出情報と、調剤情報と、調剤番号とを、管理部１５へ送信する（ステップＳ０７）。払出処理部２１は、必要に応じて、トレイ番号も一緒に管理部１５に送信する。
【００７０】
管理部１５は、払出機１３の払出処理部２１から受信したカート番号、収納部番地、払出情報、調剤番号および調剤情報を、薬剤の取り揃えリストとして記憶部２８に書き込む。図５は、取り揃えリスト４１の一例を示す図である。例えば、調剤番号「３４６」で示される調剤に関しては、調剤すべき薬剤の薬剤名及び個数が、「薬剤Ａ  ２個」、「薬剤Ｂ  １個」、「薬剤Ｃ  ４個」および「薬剤Ｋ  １個」であり、そのうち、「薬剤Ａ  ２個」、「薬剤Ｂ  １個」および「薬剤Ｃ  ４個」が第１薬剤としてトレイ番号「１０４」のトレイ１２に払い出されたことが示されている。また、そのトレイ１２はカート番号「１４」のカート１４の収納部番地「Ａ１」の収納部２３（収納部２３ａ）に収納されていることが示されている。また、薬剤の取り揃えリストには、必要に応じて、調剤番号や調剤情報に対応したトレイ番号も書き込まれる。
【００７１】
このようにして、払出機１３は、図４に示すフローチャートの動作を所要回数繰り返し実行し、払出機１３から払い出された薬剤を保持する複数個のトレイ１２をカート１４の複数個の収納部２３へ搬出する。
【００７２】
払出機１３がカート１４へ所要個数のトレイ１２を搬出した後、薬剤管理者は第２薬剤を補充するためにカート１４を薬剤棚１６の付近へ移動させる。
【００７３】
図６は、カート１４が薬剤棚１６の付近へ移動した薬剤補充時の薬剤棚１６及びカート１４を示す図である。
【００７４】
薬剤管理者は、トレイ１２をカート１４から引き出し、第２薬剤をトレイ１２へ補充する。なお、トレイ１２をカート１４から引き出すとは、図６に示すトレイ１２ｂの状態であり、トレイ１２をカート１４から完全に取出した状態ではなく、トレイ１２ｂの一部が収納部２３ｂに残り、トレイ１２ｂへ薬剤を補充することのできる状態である。
【００７５】
ＬＥＤ２６が点灯している収納部２３ｂに収納されているトレイ１２ｂを引き出すと、表示部３０にはトレイ１２ｂへ補充すべき薬剤の薬剤名および個数が表示される。薬剤管理者は、その薬剤名および個数に従い薬剤の補充を行う。
【００７６】
次に、図７のフローチャートを用いて、薬剤棚１６の動作を説明する。
【００７７】
まず、薬剤棚処理部３３は、タグリーダ３１を通じて、カート１４のＲＦＩＤタグ２２よりカート番号を検出する。カート１４が薬剤棚１６のタグリーダ３１から半径１ｍ以内の検出エリア（以下、「薬剤棚操作領域」という。）に入ると、薬剤棚１６は無線通信によってカート１４のＲＦＩＤタグ２２の情報を読み取り、カート１４のカート番号を取得する（ステップＳ１１）。薬剤棚１６は、カート番号を取得することができた場合には、ステップＳ１２以降の処理を実行するものとし、カート番号を取得することができない場合には、ステップＳ１２以降の処理は実行しない。なお、薬剤棚操作領域は上記した領域に限定されるものではなく、薬剤取り揃えシステム１１の運用者が自由に設定することができる。
【００７８】
薬剤棚処理部３３は、検出されたカート番号の取り揃えリストを取得するために、管理部１５へ検出されたカート番号を送信し、図８に示すような検出されたカート番号の取り揃えリスト４２を取得する（ステップＳ１２）。
【００７９】
薬剤棚処理部３３は、取得した取り揃えリスト４２より、薬剤の補充を必要とするトレイ番号を算出する（ステップＳ１３）。
【００８０】
ステップＳ１３を具体的に説明すると、薬剤棚１６で補充できる薬剤は、薬剤庫２９で保管する第２薬剤である。図８に示す取り揃えリスト４２において、調剤番号「３４６」、「３７３」、「４８１」および「５０２」の調剤情報が、薬剤棚１６に保管されている第２薬剤である薬剤Ｋまたは薬剤Ｍを含む。よって、薬剤Ｋまたは薬剤Ｍを揃えるべきトレイ１２は、トレイ番号「１０４」、「２３０」、「１４４」および「０１２」である。
【００８１】
薬剤棚処理部３３は、これらのトレイ番号のトレイ１２を収納する収納部２３の収納部番地を取得する（ステップＳ１４）。上記の例では、収納部番地として「Ａ１」、「Ａ２」、「Ｂ１」および「Ｂ２」が取得される。つまり、薬剤棚処理部３３のステップＳ１３とステップＳ１４の動作(決定部の動作)によって、カートに対応した取り揃えリストの調剤情報を用いて、カートのトレイごとに補充すべき第２薬剤の有無を確認し、第２薬剤が存在する場合に、第２薬剤に対応したトレイが収納されたカートの収納部番地（収納部特定情報）を調剤情報に従って決定する。
【００８２】
薬剤棚処理部３３は、ステップＳ１４で取得した収納部番地（上記の例では、収納部番地「Ａ１」、「Ａ２」、「Ｂ１」および「Ｂ２」）を含む点灯信号を作成し、カート１４へ点灯信号を送信する。これにより、薬剤棚処理部３３は、第２薬剤の補充を必要とするトレイ１２を収納する収納部２３のＬＥＤ２６を点灯するように、カート１４に対して指示を出す（ステップＳ１５）。
【００８３】
すると、カート処理部２７は、受信した点灯信号に含まれる収納部番地（上記の例では、収納部番地「Ａ１」、「Ａ２」、「Ｂ１」および「Ｂ２」）の収納部２３に対応したＬＥＤ２６を点灯させる。つまり、上記の例では、図６に示すように、カート処理部２７は収納部２３ａ、２３ｂ、２３ｇおよび２３ｈに対応する両側のＬＥＤ２６を点灯させる。つまり、薬剤棚処理部３３のステップＳ１５およびＬＥＤ２６の動作（収納部提示部の動作）によって、ステップＳ１４で決定した収納部番地（収納部特定情報）が示すカートの収納部を特定する情報を提示する。なお、カート処理部２７は、ＬＥＤ２６を点灯させる代わりに点滅させるようにして、収納部を提示してもよい。
【００８４】
薬剤管理者は、ＬＥＤ２６の点灯を見ることで補充を必要とするトレイ１２を知ることができ、ＬＥＤ２６が点灯する複数の収納部のトレイのうちの１つのトレイ１２を引き出す。
【００８５】
図６は、収納部２３ｂに収納するトレイ番号「２３０」のトレイ１２ｂを引き出した状態を示す。
【００８６】
カート１４は、トレイ１２が収納部２３の収納位置にあるか否かを検出するトレイ検出部２４を備えている。トレイ１２が収納位置にある状態とは、トレイ１２が収納部２３の中に完全に納まっている状態である。トレイ１２が収納位置にない状態とは、トレイ１２が収納部２３から引き出され、トレイ１２へ薬剤の投入ができる状態である。
【００８７】
図６に示すカート１４において、収納部２３ｂのトレイ１２は収納位置にない状態であり、収納部２３ａ、２３ｇおよび２３ｈのトレイ１２は収納位置にある状態である。
【００８８】
トレイ検出部２４により収納位置に存在していたトレイ１２が収納位置からなくなると、つまり、トレイ１２が引き出されると、カート処理部２７は、無線通信部２５を通じて、引き出されたトレイ１２を収納する収納部２３の収納部番地（例えば、収納部２３ｂの収納部番地「Ａ２」）を含む引き出し信号を薬剤棚１６へ送信する。
【００８９】
薬剤棚１６の薬剤棚処理部３３は、無線通信部３２を通じて、カート１４から送信される引き出し信号を検出する（ステップＳ１６）。
【００９０】
引き出し信号を検出すると、薬剤棚１６の薬剤棚処理部３３は引き出されたトレイ１２へ補充する補充薬剤（第２薬剤）を算出する（ステップＳ１７）。つまり、薬剤棚処理部３３は、引き出されたトレイ１２に払い出しされていない薬剤のうち、薬剤棚１６が保管している薬剤を補充薬剤として算出する。
【００９１】
例えば、引き出し信号に含まれている収納部番地は「Ａ２」であり、この収納部番地「Ａ２」を元に、薬剤棚処理部３３は取り揃えリスト４２より補充薬剤を算出する。すなわち、収納部番地「Ａ２」に収納されたトレイ番号「２３０」のトレイ１２へ補充すべき薬剤として、「薬剤Ｋ  ２個」を算出する。
【００９２】
薬剤棚処理部３３は、算出した補充薬剤の薬剤名と個数を表示部３０へ表示する（ステップＳ１８）。すなわち、図６の表示部３０には、補充薬剤の薬剤名と個数として、薬剤Ｋと２個が表示されている。
【００９３】
なお、薬剤管理者がＬＥＤ２６が点灯していないトレイ１２を引き出した場合には、補充薬剤の薬剤名と個数はないため、アラームを鳴らし、薬剤管理者に対し警告をするようにしてもよい。
【００９４】
薬剤管理者は、表示部３０の表示に従って薬剤庫２９から補充薬剤を取り出し、トレイ１２へ取り揃える。
【００９５】
補充薬剤の取り揃えが終了すると、薬剤管理者は引き出したトレイ１２を収納部２３へ押し戻すことにより、トレイ１２を収納部２３に収納する。
【００９６】
トレイ検出部２４が収納位置に存在していなかったトレイ１２を新たに検出すると、カート処理部２７はトレイ１２が収納部２３へ押し戻されたと識別して、押し戻された収納部２３の収納部番地を含む押し戻し信号を作成する。そして、カート処理部２７は、無線通信部２５を介して、カート１４から薬剤棚１６へ押し戻し信号を送信する。
【００９７】
薬剤管理者が補充薬剤を取り揃える間、薬剤棚１６の薬剤棚処理部３３は、押し戻し信号の有無を検出する（ステップＳ１９）。薬剤棚処理部３３は、押し戻し信号を検出すると、引き出したトレイ１２への補充薬剤の補充が完了したと識別する。
【００９８】
そして、薬剤棚処理部３３は、図８に示す取り揃えリスト４２の第１の補充情報の欄に、補充した薬剤の薬剤名と個数を記入することにより、補充薬剤を記録する（ステップＳ２０）。
【００９９】
薬剤棚処理部３３は、ステップＳ２０の補充薬剤の記録が終わると、ステップＳ１３へ戻り、薬剤の補充を必要とするトレイ１２のトレイ番号を算出する。
【０１００】
補充を終えたトレイ番号のトレイ１２については、取り揃えリスト４２の第１の補充情報の欄に補充薬剤が記録されている。このため、以降の処理では、補充を終えたトレイ番号のトレイ１２が、薬剤棚１６で薬剤の補充を必要とするトレイ１２として算出されることはない。
【０１０１】
薬剤棚１６は、ステップＳ１３〜Ｓ２０を繰り返し、薬剤管理者は、ＬＥＤ２６が点灯している収納部２３に収納されているトレイ１２を引き出して、薬剤を補充する。
【０１０２】
薬剤棚１６において薬剤の補充を必要とする全てのトレイ１２への薬剤の補充が終わり、ステップＳ１３で補充を必要とするトレイ１２のトレイ番号が算出されなくなると、薬剤棚１６の表示部３０はカート１４への薬剤補充が終了したことを意味するメッセージを表示する（ステップＳ２１）。
【０１０３】
以上説明したように、本実施の形態１によると、薬剤取り揃えシステム１１は、払出機１３から払い出された第１薬剤を保持するトレイ１２に対し、第２薬剤の補充を必要とするトレイ１２を、搬送用のカート１４に載せた状態で容易に知ることができる。
【０１０４】
また、カート１４は、収納部２３に収納するトレイ１２が引き出されたか否かを検出するトレイ検出部２４を備える。トレイ検出部２４がトレイ１２が引き出されたことを検出すると、カート１４は引き出された収納部２３の収納部番地を含む引き出し信号を薬剤棚１６へ送信する。これにより、薬剤棚１６は、引き出されたトレイ１２に補充する第２薬剤の薬剤名と個数を、表示部３０へ表示することが可能となる。よって、薬剤管理者は表示部３０の表示に従い容易に薬剤の補充を行うことができる。
【０１０５】
なお、その形状が大きいために薬剤棚１６で保管することのできない輸液パック、または温度管理を必要とする温度管理薬剤等を別の薬剤保管庫で保管する場合がある。このような別の薬剤保管庫がある場合には、その別の薬剤保管庫と薬剤取り揃えシステム１１とを連携させて利用することも可能である。
【０１０６】
例えば、図８の取り揃えリスト４２に示すように、トレイ番号「０１２」のトレイ１２に対しては、薬剤棚１６で補充することのできない輸液パック１００ｍｌの補充を必要とする。この場合、薬剤管理者は、薬剤棚１６で薬剤Ｋ、Ｍの補充を行った後、カート１４を輸液パックの薬剤を保管している薬剤保管庫まで移動させる。その薬剤保管庫がカート１４のカート番号を検出する。薬剤棚１６の場合と同様に、薬剤保管庫は、カート番号から薬剤保管庫にある薬剤の補充を必要とするトレイ１２を算出し、カート１４に対して、そのトレイ１２を収納する収納部２３のＬＥＤ２６を点灯させる。これにより、薬剤保管庫は、薬剤管理者へ輸液パックを補充するトレイ１２を知らせることができる。なお、薬剤保管庫は、図８に示す取り揃えリスト４２の第２の補充情報の欄に、補充を必要とする薬剤の薬剤名と個数を記入することにより、補充薬剤を記録する。
【０１０７】
なお、薬剤棚１６は、ステップＳ１８で補充薬剤を表示するのに加えて、その表示された薬剤を保管している薬剤庫の鍵だけを開くようにしたり、その表示された薬剤を保管している薬剤庫だけを自動的にポップアップさせたりするようにしてもよい。それにより、補充薬剤の選択間違いを防止し、薬剤管理者は、正確な薬剤の取り揃えが可能となる。
【０１０８】
また、薬剤棚１６にバーコードリーダのような薬剤検出部を設けて、薬剤棚１６から取出した薬剤を薬剤検出部で検出し、薬剤名を確認した後に薬剤をトレイ１２へ投入するようにしてもよい。つまり、薬剤管理者は、トレイ１２へ補充する薬剤に付されているバーコードを、薬剤検出部を用いて読み取る。薬剤棚処理部３３は、ステップＳ２０で図８に示す取り揃えリスト４２の第１の補充情報の欄に、補充を必要とする薬剤の薬剤名と個数を記入する代わりに、薬剤検出部で読み取られた薬剤の薬剤名と個数とを記入することにより、検出した正確な補充薬剤を記録する。これによっても、補充薬剤の選択間違いを防止し、薬剤管理者は、さらに正確に薬剤の取り揃えが可能となる。なお、バーコードによる読み取りの代わりに、薬剤またはそのパッケージに薬剤名が記録されたＲＦＩＤタグを貼付しておき、タグリーダを用いてＲＦＩＤタグに記録されている薬剤名を読み取るようにしてもよい。
【０１０９】
（実施の形態２）
実施の形態１に係る薬剤取り揃えシステム１１では、薬剤棚を備えている構成としたが、本発明の実施の形態２に係る薬剤取り揃えシステムは、薬剤棚を備えない構成としている。実施の形態２では、払出機から払い出された第１薬剤を保持するトレイを収納する搬送用のカートに、薬剤を検出するための薬剤検出部（例えば、バーコードリーダ）が設けられている。この薬剤検出部が補充用の薬剤のコードや薬剤名を検出すると、実施の形態２に係る薬剤取り揃えシステムは、薬剤検出部で検出されたコードや薬剤名の薬剤の補充を必要とするトレイが、どのトレイかを、薬剤管理者へ知らせる。
【０１１０】
実施の形態２に係る薬剤取り揃えシステム６１を用いることで、薬剤管理者は、払出機から払い出された薬剤を保持するトレイへの薬剤の補充作業を、簡易に且つ正確に行うことが可能となる。
【０１１１】
図９は、本実施の形態２における薬剤取り揃えシステム６１の構成を示す機能ブロック図である。
【０１１２】
薬剤取り揃えシステム６１は、払出機６３と、カート６４と、管理部６５とを備える。
【０１１３】
払出機６３は、調剤情報に従って払出機６３が払い出すことが可能な第１薬剤をトレイ１２に払い出し、薬剤を払い出された複数のトレイ１２のそれぞれをカート６４の各収納部２３に収納する。ここで、調剤情報は各トレイ１２に取り揃えるべき薬剤の種類及び個数を示した情報であり、薬剤を払い出されたトレイ１２ごとに調剤情報が対応づけられる。払出機６３は、図１に示した払出機１３と同様の構成を有する。
【０１１４】
カート６４は、図１に示したカート１４の構成に加えて、バーコードリーダ７１と、記憶部７２と、表示部７３とを備える。バーコードリーダ７１は、薬剤のコードから薬剤名を検出する薬剤検出部である。記憶部７２は、薬剤取り揃えリストなどを記憶する。表示部７３は薬剤提示部として、トレイ１２へ補充する薬剤の薬剤名及び個数等を表示する。
【０１１５】
バーコードリーダ７１が第２薬剤の薬剤名を検出すると、カート処理部２７（決定部）は、バーコードリーダ７１で検出された薬剤名の薬剤の補充を必要とするトレイ１２の収納部２３の収納部番地を算出する。カート処理部２７が算出したトレイ１２の収納位置は表示部７３に表示され、薬剤管理者へ補充を必要とするトレイ１２の収納位置を知らせる。
【０１１６】
つまり、カート処理部２７は、検出された第２薬剤の補充を必要とする収納部２３の収納部番地を算出すると、算出した収納部番地より、薬剤の補充を必要とするトレイ１２を示すＬＥＤ２６を点灯させる。薬剤管理者が、点灯するＬＥＤ２６に対応するトレイ１２を引き出すと、引き出したトレイ１２に補充を必要とする薬剤名および個数がカート６４の表示部７３に表示される。薬剤管理者は、この表示に従ってトレイ１２へ薬剤を補充する。
【０１１７】
このようにして、払出機６３から払い出された薬剤を保持し、且つカート６４から引き出されたトレイ１２に対し、薬剤管理者は、補充薬剤を簡易に且つ正確に補充することができる。
【０１１８】
管理部６５は記憶部２８を備えている。記憶部２８は、調剤情報と、調剤情報にしたがって払出機６３によりトレイ１２に払い出された第１薬剤の種類及び個数を示す払出情報と、第１薬剤が払い出されたトレイ１２を収納しているカートの収納部２３の位置を示す収納部位置情報（収納部番地）などを記憶する。つまり、管理部６５は、薬剤取り揃えに必要な薬剤の取り揃えリストを記憶している記憶部２８を備える。取り揃えリストは、第１薬剤が払い出されたトレイ１２を収納している収納部２３の位置を示す収納部位置情報（収納部番地）に対応して、調剤情報と、払出情報とを含んでいる。管理部６５の記憶部２８に保持する取り揃えリストは、適時、払出機６３の払出処理部２１からアクセスされる。すなわち、払出機６３の払出処理部２１は、管理部６５の記憶部２８の取り揃えリストに情報を記録したり、取り揃えリストから情報を入手できる。
【０１１９】
次に、薬剤取り揃えシステム６１を用いた薬剤取り揃えの作業について詳細に説明する。
【０１２０】
図１０はカート６４の斜視図である。カート６４は複数の収納部２３（例えば、収納部２３ａ、２３ｂ、２３ｇ、２３ｈ）を有し、各収納部２３にトレイ１２を収納する。図１０のカート６４では、すでに収納部２３ａ、２３ｂ、２３ｇ、２３ｈに払出機６３からトレイ１２が搬入されている。
【０１２１】
また、カート６４は、補充する薬剤の薬剤名と個数を表示する表示部７３と、薬剤のバーコードを読み取って薬剤の薬剤名を検出するバーコードリーダ７１と、を備える。
【０１２２】
まず、薬剤の取り揃え作業を行う薬剤管理者は、トレイ１２を搭載していない空のカート６４を払出機６３の所へ移動させ、カート６４のトレイ出入口と払出機６３の搬出口とを連結させる。
【０１２３】
払出機６３は、調剤情報に従い、空のトレイ１２へ第１薬剤を自動的に払い出す。さらに、払出機６３は、第１薬剤が払い出されたトレイ１２をカート６４の収納部２３へ搬出(収納)する。払出機６３の操作は、薬剤管理者がタッチパネル１９を操作することにより行われる。
【０１２４】
払出機６３が第１薬剤をトレイ１２に払い出し、そのトレイ１２をカート６４の収納部に収納する動作は、実施の形態１に示すステップＳ０１〜Ｓ０７と同様である。このため、その詳細な説明は省略する。
【０１２５】
払出機６３から複数のトレイへの薬剤払い出しが終わり、払出機６３からカート６４を切り離す前に、払出機６３の無線通信部２０ｃからカート６４の無線通信部２５に取り揃えリストを送信する。すなわち、払出機６３の払出処理部２１は、管理部６５の記憶部２８から取り揃えリストを入手し、連結しているカート６４のカート処理部２７に対して、カート６４のカート番号の取り揃えリストを送信する。例えば、連結しているカート６４のカート番号が「１４」の場合には、図８に示すようなカート番号「１４」の取り揃えリストが送信される。カート処理部２７は、受信した取り揃えリスト４２をカート６４の記憶部７２に書き込む。
【０１２６】
薬剤管理者は、複数のトレイ１２を収納したカート６４を、払出機６３とは別の場所にある薬剤室へ移動させ、移動した薬剤室において第２薬剤を補充する。
【０１２７】
薬剤室にある管理端末（図示せず）には、管理部６５より補充薬剤の薬剤名、個数の情報が送信されており、それらの情報が管理端末の表示画面に表示されている。つまり、カート６４のカート番号に対応する取り揃えリストの調剤情報に含まれる薬剤のうち、払い出されていない薬剤（補充する薬剤）の薬剤名と個数の合計値の情報が管理端末の表示画面に表示される。これにより、カート６４へ補充するための薬剤は薬剤室であらかじめ準備しておくことができる。なお、トレイ１２ごとに薬剤を準備するのは面倒であるため、カート６４で必要とする補充薬剤をまとめて準備する。
【０１２８】
例えば、図８に示すようなカート番号「１４」の取り揃えリストについて言えば、補充する薬剤の薬剤名とその個数の合計値は、「薬剤Ｋ  ５個」、「薬剤Ｍ  ６個」および「輸液  １００ｍｌ」となる。なお、これらの情報は、管理端末の表示部に表示するのではなく、カート６４の表示部７３に表示してもよい。
【０１２９】
薬剤管理者は、準備された補充薬剤をまとめてカート６４に持参して、カート６４の補充を必要とするトレイ１２に薬剤を取り揃える。
【０１３０】
次に、図１１のフローチャートを用いて、カート６４への補充動作の詳細を説明する。
【０１３１】
薬剤管理者は、バーコードリーダ７１に薬剤のバーコードを近づける。これにより、カート６４のバーコードリーダ７１は、１つの薬剤（１種類の薬剤）のバーコードを検出し（ステップＳ３１）、検出したバーコード情報より薬剤名を取得する（ステップＳ３２）。
【０１３２】
カート処理部２７は、ステップＳ３２で取得した薬剤名と記憶部７２に記憶されている取り揃えリスト４２の調剤情報とを比較することにより、この種類の薬剤の補充を必要とするトレイ１２のトレイ番号を算出する（ステップＳ３３）。ここでは、調剤情報に薬剤の名前を記憶させ、調剤情報の薬剤名と検出された薬剤名を比較させた。調剤情報に薬剤のコードを記憶させ、調剤情報の薬剤コードと検出された薬剤バーコードを比較するようにしても良い。
【０１３３】
ステップＳ３２で検出された薬剤名が薬剤Ｋである場合を考える。取り揃えリスト４２の調剤情報の中で薬剤Ｋを含むものは、トレイ番号が「１０４」、「２３０」、「１４４」および「０１２」の調剤情報である。このため、薬剤Ｋの補充を必要とするトレイ１２のトレイ番号は、「１０４」、「２３０」、「１４４」および「０１２」である。
【０１３４】
カート処理部２７は、取り揃えリスト４２を参照することにより、トレイ番号「１０４」、「２３０」、「１４４」および「０１２」に対応する収納部番地「Ａ１」、「Ａ２」、「Ｂ１」および「Ｂ２」を取得する（ステップＳ３４）。つまり、カート処理部２７のステップＳ３３とステップＳ３４の動作（決定部の動作）によって、カートに対応した取り揃えリストの調剤情報を用いて、カートのトレイごとに補充すべき第２薬剤の有無を確認し、第２薬剤が存在する場合に、第２薬剤に対応したトレイが収納されたカートの収納部番地（収納部特定情報）を調剤情報に従って決定する。
【０１３５】
カート処理部２７は、図１０に示すように、ステップＳ３４で取得した収納部番地「Ａ１」、「Ａ２」、「Ｂ１」および「Ｂ２」に対応する収納部２３ａ、２３ｂ、２３ｇ、２３ｈのＬＥＤ２６を点灯させる（ステップＳ３５）。つまり、カート処理部２７のステップ３５とＬＥＤ２６の動作（収納部提示部の動作）によって、ステップＳ３４で決定した収納部番地（収納部特定情報）が示すカートの収納部を特定する情報を提示する。
【０１３６】
薬剤管理者は、ＬＥＤ２６の点灯を見ることで補充を必要とするトレイ１２を知ることができ、ＬＥＤ２６が点灯している複数の収納部のトレイのうちの１つのトレイ１２を引き出す。
【０１３７】
図１０は、収納部２３ｂに収納されているトレイ番号「２３０」のトレイ１２ｂを引き出した状態を示す図である。
【０１３８】
図１０に示すカート６４において、収納部２３ｂのトレイ１２は収納位置にない状態（引き出した状態）であり、収納部２３ａ、２３ｇ、２３ｈのトレイ１２は収納位置にある状態（引き出されていない状態）である。
【０１３９】
トレイ検出部２４がトレイ１２の引き出しの有無を検出する（ステップＳ３６）。
【０１４０】
トレイ検出部２４がトレイ１２の引き出しを検出すると、カート処理部２７は引き出されたトレイ１２へ補充する補充薬剤の個数の情報を取得する（ステップＳ３７）。例えば、バーコードリーダ７１で検出された薬剤名が薬剤Ｋであり、引き出されたトレイ１２の収納部番地が「Ａ２」である場合、カート処理部２７は、収納部番地「Ａ２」および薬剤名「薬剤Ｋ」を元に、取り揃えリスト４２よりトレイ１２へ補充する薬剤Ｋの個数を取得する。ここでは、収納部番地「Ａ２」に収納されたトレイ１２へ補充する薬剤Ｋの個数は２個である。
【０１４１】
カート処理部２７からの指示により、補充する第２薬剤の個数を、カート６４の表示部７３に表示する（ステップＳ３８）。ここでは、薬剤Ｋの個数である２個が表示される。薬剤管理者は、表示部７３の表示に従い、第２薬剤を表示部７３に表示された個数だけトレイ１２へ補充する。
【０１４２】
補充する第２薬剤（薬剤Ｋ）の取り揃えが終了すると、薬剤管理者は引き出したトレイ１２を収納部２３へ押し戻す。
【０１４３】
カート６４のトレイ検出部２４がトレイ１２が収納部２３の収納位置に配置されたことを検出すると、カート処理部２７はトレイ１２が収納部２３へ押し戻されたと識別する。
【０１４４】
薬剤管理者が補充薬剤を取り揃える間、カート処理部２７は、トレイ１２の押し戻しがあるか否かを検出する（ステップＳ３９）。カート処理部２７は、トレイ１２の押し戻しを検出すると、引き出したトレイ１２への補充薬剤（薬剤Ｋ）の補充が完了したと識別する。
【０１４５】
そして、カート処理部２７は、記憶部７２にある図８に示す取り揃えリスト４２の第１の補充情報の欄に、補充薬剤の薬剤名と個数を記録する（ステップＳ４０）。
【０１４６】
カート処理部２７は、ステップＳ４０の補充薬剤の記録が終わると、ステップＳ３３へ戻り、同一名の薬剤の補充を必要とするトレイ１２のトレイ番号を算出する。
【０１４７】
ここで、補充を終えたトレイ番号のトレイ１２については、記憶部７２の取り揃えリスト４２の第１の補充情報の欄に補充薬剤が記録されている。このため、以降の処理では、補充を終えたトレイ番号のトレイ１２が、Ｓ３２で取得された薬剤名の薬剤の補充を必要とするトレイ１２として算出されることはない。
【０１４８】
カート６４は、ステップＳ３３〜Ｓ４０を繰り返し、薬剤管理者は、ＬＥＤ２６が点灯している収納部２３に収納されているトレイ１２を引き出して、薬剤（薬剤Ｋ）を補充する。
【０１４９】
バーコードリーダ７１が検出した薬剤名の薬剤（薬剤Ｋ）を必要とするトレイ１２への薬剤の補充が終わり、ステップＳ３３で補充を必要とするトレイ番号が算出されなくなると、表示部７３は、その薬剤名の薬剤（薬剤Ｋ）の補充が終了したことを意味するメッセージを表示する（ステップＳ４１）。
【０１５０】
次に、薬剤管理者は、バーコードリーダ７１に、別種の薬剤（例えば、薬剤Ｍ）を近づける。これにより、バーコードリーダ７１が、別種の薬剤の薬剤名を取得する。その後、カート６４が上記と同様なステップの処理を実行することにより、薬剤管理者はカート６４のトレイ１２に上記薬剤（薬剤Ｍ）を補充する。
【０１５１】
このように、カート６４のバーコードリーダ７１が補充用の薬剤の薬剤名を検出すると、検出された薬剤名の薬剤の補充を必要とするトレイ１２を収納している収納部２３に対応するＬＥＤ２６が点灯する。このため、薬剤管理者は、薬剤の補充を必要とするトレイ１２を容易に知ることができる。よって、薬剤管理者が第２薬剤を簡易に且つ正確に補充することができる。
【０１５２】
また、表示部７３には、第２薬剤の種類及び個数が表示されるため、薬剤管理者が第２薬剤を簡易に且つ正確に補充することができる。
【０１５３】
以上、本発明の実施の形態に係る薬剤取り揃えシステムについて説明したが、本発明は、この実施の形態に限定されるものではない。
【０１５４】
例えば、上述の実施の形態では、薬剤を補充すべきトレイが収納されている収納部を示す収納部提示部として、ＬＥＤを用いたが、液晶表示装置などの他の表示装置を用いて収納部を示すようにしてもよい。また、収納部提示部は、表示部に薬剤の補充が必要なトレイを収納している収納部の位置情報を表示するようにしてもよい。また、収納部提示部は、予め収納部に付された番号などの識別子を薬剤管理者に提示するようにしてもよい。収納部の位置情報を音声で薬剤管理者に通知するようにしてもよい。
【０１５５】
また、上述の実施の形態では、薬剤管理者がカートの収納部２３から１つのトレイ１２を引き出すことを想定していたが、薬剤管理者が収納部２３から複数のトレイ１２を引き出すものであってもよい。また、収納部提示部に、トレイ１２の収納位置を示す情報と補充薬剤の情報とを対応付けて表示するようにしてもよい。
【０１５６】
また、上述の実施の形態におけるトレイは、薬剤の保持やカートへの積載に適している。しかし、トレイと同等な機能を有する等価物（たとえば、薬剤を内包する薬袋など）は、本発明に含まれる。
【０１５７】
今回開示された実施の形態はすべての点で例示であって制限的なものではないと考えられるべきである。本発明の範囲は上記した説明ではなくて請求の範囲によって示され、請求の範囲と均等の意味及び範囲内でのすべての変更が含まれることが意図される。
【産業上の利用可能性】
【０１５８】
本発明にかかる薬剤取り揃えシステムは、薬剤を保持している複数のトレイを載せているカートに対し、カートに載せた状態で補充薬剤を正確なトレイに簡易に補充することができるので、病院や施設などの薬剤取り揃えシステムとして有用である。
【符号の説明】
【０１５９】
１１、６１  薬剤取り揃えシステム
１２  トレイ
１３、６３  払出機
１４、６４  カート
１５、６５  管理部
１６  薬剤棚
１７、２２  ＲＦＩＤタグ
１８、３１  タグリーダ
１９  タッチパネル
２０ａ  払出部
２０ｂ  搬出部
２１  払出処理部
２３  収納部
２４  トレイ検出部
２０ｃ、２５、３２  無線通信部
２６  ＬＥＤ
２７  カート処理部
２８、７２  記憶部
２９  薬剤庫
３０、７３  表示部
３３  薬剤棚処理部
３４  車輪  
４１、４２  取り揃えリスト
７１  バーコードリーダ
【図１】
2011067897.tif 000003
【図２】
2011067897.tif 000004
【図３】
2011067897.tif 000005
【図４】
2011067897.tif 000006
【図５】
2011067897.tif 000007
【図６】
2011067897.tif 000008
【図７】
2011067897.tif 000009
【図８】
2011067897.tif 000010
【図９】
2011067897.tif 000011
【図１０】
2011067897.tif 000012
【図１１】
2011067897.tif 000013
【図１２】
2011067897.tif 000014
【手続補正書】
【提出日】平成23年3月16日(2011.3.16)
【手続補正１】
【補正対象書類名】特許請求の範囲
【補正対象項目名】全文
【補正方法】変更
【補正の内容】
【特許請求の範囲】
【請求項１】
薬剤の取り揃えを支援する薬剤取り揃えシステムであって、
調剤情報に従って第１薬剤が払いだされたトレイを各々収納するための複数の収納部を備えるカートと、
前記トレイごとに、カートを特定するカート情報と、前記調剤情報と、前記第１薬剤が払い出されたトレイを収納している前記収納部を特定する収納部特定情報とを対応付けて記憶する記憶部と、
前記カート情報に基づいて特定されたカートに対し、前記カートの各収納部に収納されているトレイごとに補充すべき第２薬剤の有無を確認し、前記第２薬剤が存在する場合に、前記第２薬剤に対応する前記収納部特定情報を前記調剤情報に従って決定する決定部と、
前記決定部が決定した前記収納部特定情報が示す前記収納部を特定する情報を提示する収納部提示部と、
薬剤のコードを検出するための薬剤検出部とを備え、
前記決定部は、前記薬剤検出部で検出されたコードに基づいて前記第２薬剤の有無を確認する
薬剤取り揃えシステム。
【請求項２】
さらに、前記トレイごとに設定された調剤情報に従って、前記トレイに前記第１薬剤を自動で払い出す払出機を備える
請求項１記載の薬剤取り揃えシステム。
【請求項３】
（削除）
【請求項４】
前記収納部提示部は、前記カートに設けられ、
前記収納部ごとに当該収納部に対応する位置に設けられた発光部と、
前記決定部が決定した前記収納部特定情報が示す前記収納部を特定する情報の提示として、前記決定部が決定した前記収納部特定情報が示す前記収納部に対応する前記発光部を発光させるカート処理部とを有する
請求項１記載の薬剤取り揃えシステム。
【請求項５】
薬剤の取り揃えを支援する薬剤取り揃えシステムであって、
調剤情報に従って第１薬剤が払いだされたトレイを各々収納するための複数の収納部を備えるカートと、
前記トレイごとに、カートを特定するカート情報と、前記調剤情報と、前記第１薬剤が払い出されたトレイを収納している前記収納部を特定する収納部特定情報とを対応付けて記憶する記憶部と、
前記カート情報に基づいて特定されたカートに対し、前記カートの各収納部に収納されているトレイごとに補充すべき第２薬剤の有無を確認し、前記第２薬剤が存在する場合に、前記第２薬剤に対応する前記収納部特定情報を前記調剤情報に従って決定する決定部と、
前記決定部が決定した前記収納部特定情報が示す前記収納部を特定する情報を提示する収納部提示部と、
前記トレイごとに、前記調剤情報と前記第１薬剤とから決定される前記第２薬剤の種類及び個数を提示する薬剤提示部とを備える
薬剤取り揃えシステム。
【請求項６】
さらに、前記第２薬剤を保管し、前記薬剤提示部を有する薬剤棚を備える
請求項５記載の薬剤取り揃えシステム。
【請求項７】
前記薬剤棚の周囲に予め薬剤棚操作領域が設定されており、
前記収納部提示部は、前記カートが前記薬剤棚操作領域に含まれる場合にのみ前記決定部が決定した前記収納部特定情報が示す前記収納部を特定する情報を提示する
請求項６記載の薬剤取り揃えシステム。
【請求項８】
前記薬剤提示部が、前記カートに備えられた
請求項５記載の薬剤取り揃えシステム。
【請求項９】
前記カートは、さらに、前記収納部ごとに、収納しているトレイが引き出されたか否かを検出するトレイ検出部を備え、
前記薬剤提示部は、前記トレイ検出部により引き出されたことが検出されたトレイに補充すべき前記第２薬剤の種類及び個数を提示する
請求項５記載の薬剤取り揃えシステム。
【請求項１０】
（削除）
【請求項１１】
薬剤の取り揃えを支援する薬剤取り揃えシステムで用いられるカートであって、
第１薬剤が払い出されたトレイを各々収納するための複数の収納部と、
前記収納部ごとに当該収納部に対応する位置に設けられた発光部と、
外部から受信した第２薬剤の情報に基づいて、前記第２薬剤を補充すべきトレイが収納された収納部に対応する前記発光部を発光させるカート処理部と、
トレイごとに、当該トレイに補充すべき前記第２薬剤の種類及び個数を提示する薬剤提示部とを備える
カート。
【国際調査報告】
2011067897.tif 000015
2011067897.tif 000016
2011067897.tif 000017
2011067897.tif 000018